【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】対話型料理検索装置、及び料理検索装置
【手続補正２】
【補正対象書類名】明細書
【補正対象項目名】特許請求の範囲
【補正方法】変更
【補正の内容】
【特許請求の範囲】
【請求項１】
料理名とその料理名に関するデータとを少なくとも表示するための表示手段と、
前記表示されている表示情報に対して所定の指示を行うための指示手段と、
複数の前記料理名データと、それら料理名に関するデータと、それら料理名と料理名に関する前記データとの相互の関連付けデータとを格納するデータ格納手段と、
前記指示が行われた場合、前記格納されている料理名データの全部又は一部に対して、少なくとも前記料理名に関するデータ及び前記関連付けデータと、所定の評価基準とを利用して、前記表示手段に既に表示されている前記料理名との関係の強弱の度合いをそれぞれ算出し、それらの算出結果から所定の判定基準を満たす前記強弱の度合いに対応する料理名データを調べ、その調べた料理名データと、その料理名データに関する前記データを前記表示手段に新たに出力するための料理名検索手段と、
を備えたことを特徴とする対話型料理検索装置。
【請求項２】
前記料理名に関するデータとは、その料理名に対応する調理法、種別、及び材料名のデータであり、前記相互の関連づけデータとは、それら各データと前記料理名との対応関係のデータであり、
前記指示手段による前記指示の履歴に関する履歴情報を格納する履歴情報格納手段を有し、
前記関係算出手段が、前記履歴情報を利用して前記算出を行うことを特徴とする請求項１記載の対話型料理検索装置。
【請求項３】
表示画面上に表されている表示情報の内、何れかの表示情報が指示された場合、その旨を出力する指示入力手段と、
料理のデータを格納して出力する料理情報記憶手段と、
前記指示入力手段の出力と前記ユーザに最近提供した料理のデータとを入力として前記ユーザの意図を計算するユーザ意図計算手段と、
前記ユーザに前記最近提供した料理のデータと前記指示入力手段の出力とを入力としてユーザの意図の推移を解析して出力する長期記憶手段と、
前記長期記憶手段の出力と前記ユーザ意図計算手段の出力とを入力として前記ユーザの興味を計算するユーザ興味計算手段と、
前記ユーザ興味計算手段の出力と前記料理情報記憶手段の出力とを入力としてすべての前記料理のデータに対する前記ユーザの興味の度合を評価するデータ評価手段と、
前記データ評価手段の出力を入力として前記ユーザに対する画像情報を生成するデータ加工手段と、
前記データ加工手段の出力を入力として前記ユーザに対して前記画像情報を提示する画像情報出力手段と、
前記データ加工手段の出力を記憶して前記ユーザ意図計算手段と前記長期記憶手段とに出力する短期記憶手段と、
を有することを特徴とする対話型料理検索装置。
【請求項４】
前記料理情報記憶手段は、料理名と作り方と出来上がり図と熱量とによって構成される料理のデータを格納し、かつ前記料理名は調理法と材料名と国籍の属性で分類され、かつ前記材料名は、旬の月と材料の族の属性で分類されていることを特徴とする請求項３記載の対話型料理検索装置。
【請求項５】
前記ユーザ意図計算手段は、ユーザが指示した表示情報が最近ユーザに提示した料理のデータと、その料理のデータが持つ属性の構造的関係を利用することによってユーザの意図を計算することを特徴とする請求項３記載の対話型料理検索装置。
【請求項６】
前記長期記憶手段は、最近ユーザに提示した料理のデータと前記ユーザが指示した表示情報とを順次記憶し、前記ユーザの各属性へのアクセス回数の統計をとることを特徴とする請求項３記載の対話型料理検索装置。
【請求項７】
前記ユーザ興味計算手段は、ユーザ意図計算手段が出力する現時点の意図と、長期記憶手段が出力する前記現時点までの意図から各属性と属性値についてユーザの興味の度合いを評価することを特徴とする請求項３記載の対話型料理検索装置。
【請求項８】
前記データ評価手段は、現在提示しているデータから他のデータの距離を、前記データが持つ属性値の距離の加重平均によって定義される距離尺度を用いて、前記すべての他の料理データについて距離を求め、ユーザの興味の度合いとすることを特徴とする請求項３記載の対話型料理検索装置。
【請求項９】
前記データ加工手段は、データ評価手段が評価した料理情報記憶手段に格納された料理データを、料理名と前記料理を構成する材料名とを前記画像情報出力手段の表示画面上の中心に配置し、かつ前記料理名と前記材料名が持つ属性名と属性値とを、前記表示画面上の周囲に配置することを特徴とする請求項３記載の対話型料理検索装置。
【請求項１０】
料理名とその料理名に関するデータとを少なくとも表示するための表示手段と、
前記表示されている表示情報に対して所定の指示を行うための指示手段と、
前記指示手段により指示した料理名に関するデータの履歴に関する履歴情報を格納する履歴情報格納手段と、
予め定められた料理決定ルールに従って、前記指示手段により指示された料理名に対してユーザの意図を同定するユーザ意図計算手段と、
前記履歴情報格納手段と前記ユーザ意図計算手段との出力に基づいて、料理データを格納した料理情報記憶手段からユーザに推薦する料理情報を得るユーザ興味計算手段と、  
を備えた料理検索装置。
【請求項１１】
料理名に関するデータは、少なくとも料理名、材料名、調理法、作り方、出来上がりの情報の一つを含む請求項１０記載の料理検索装置。
【請求項１２】
複数の材料名、料理名、あるいは調理法の集合を属性とし、前記料理名、材料名、調理法が関連付けられている請求項１０，又は１１記載の料理検索装置。
【請求項１３】
前記ユーザ興味計算手段は、属性あるいは各材料名、料理名、調理法について重要度を計算し出力する請求項１２記載の料理検索装置。
【請求項１４】
ユーザの指示を入力する指示入力手段と、
ユーザに最近提供した料理のデータと前記指示入力手段の出力とを入力としてユーザの意図を推定するユーザ意図計算手段と、
前記ユーザの意図を記憶し、前記ユーザの意図の推移を解析して出力する長期記憶手段と、
前記長期記憶手段の出力と前記ユーザ意図計算手段の出力とを入力として前記ユーザの興味を計算するユーザ興味計算手段と、
前記ユーザ興味計算手段の出力と料理の情報を格納する料理情報記憶手段の出力とを入力として前記料理のデータに対する前記ユーザの興味の度合を評価するデータ評価手段と、
を備えた料理検索装置。
【請求項１５】
ユーザに対して料理情報を表示する表示装置であって、
ユーザの指示を入力する指示入力手段と、
料理名、料理の作り方、並びに閲覧した料理、閲覧した材料、同一属性材料情報を表示する表示手段と、
を備えた表示装置。
【手続補正３】
【補正対象書類名】明細書
【補正対象項目名】０００１
【補正方法】変更
【補正の内容】
【０００１】
【発明に属する技術分野】
本発明は、例えば料理のデータベースを対話型で検索する装置に利用可能な対話型料理検索装置、及び料理検索装置に関するものである。


【手続補正４】
【補正対象書類名】明細書
【補正対象項目名】００１４
【補正方法】変更
【補正の内容】
【００１４】
請求項９記載の本発明は、前記データ加工手段は、データ評価手段が評価した料理情報記憶手段に格納された料理データを、料理名と前記料理を構成する材料名とを前記画像情報出力手段の表示画面上の中心に配置し、かつ前記料理名と前記材料名が持つ属性名と属性値とを、前記表示画面上の周囲に配置する対話型料理検索装置である。
又、他の本発明は、料理名とその料理名に関するデータとを少なくとも表示するための表示手段と、
前記表示されている表示情報に対して所定の指示を行うための指示手段と、
前記指示手段により指示した料理名に関するデータの履歴に関する履歴情報を格納する履歴情報格納手段と、
予め定められた料理決定ルールに従って、前記指示手段により指示された料理名に対してユーザの意図を同定するユーザ意図計算手段と、
前記履歴情報格納手段と前記ユーザ意図計算手段との出力に基づいて、料理データを格納した料理情報記憶手段からユーザに推薦する料理情報を得るユーザ興味計算手段と、  
を備えた料理検索装置である。
又、他の本発明は、料理名に関するデータは、少なくとも料理名、材料名、調理法、作り方、出来上がりの情報の一つを含む上記他のの本発明の料理検索装置である。
又、他の本発明は、複数の材料名、料理名、あるいは調理法の集合を属性とし、前記料理名、材料名、調理法が関連付けられている上記他の本発明の料理検索装置である。
又、他の本発明は、前記ユーザ興味計算手段は、属性あるいは各材料名、料理名、調理法について重要度を計算し出力する上記他の本発明の料理検索装置である。
又、他の本発明は、ユーザの指示を入力する指示入力手段と、
ユーザに最近提供した料理のデータと前記指示入力手段の出力とを入力としてユーザの意図を推定するユーザ意図計算手段と、
前記ユーザの意図を記憶し、前記ユーザの意図の推移を解析して出力する長期記憶手段と、
前記長期記憶手段の出力と前記ユーザ意図計算手段の出力とを入力として前記ユーザの興味を計算するユーザ興味計算手段と、
前記ユーザ興味計算手段の出力と料理の情報を格納する料理情報記憶手段の出力とを入力として前記料理のデータに対する前記ユーザの興味の度合を評価するデータ評価手段と、
を備えた料理検索装置である。
又、他の本発明は、ユーザに対して料理情報を表示する表示装置であって、ユーザの指示を入力する指示入力手段と、
料理名、料理の作り方、並びに閲覧した料理、閲覧した材料、同一属性材料情報を表示する表示手段と、
を備えた表示装置である。